(57)【要約】 【課題】相電流の推定精度を適切に向上させる。【解決手段】電動機の相電流推定装置１０は、指令電圧ベクトルＶｄｑの大きさが所定下限電圧Ｖｌｏｗ未満となる場合に、指令電圧ベクトルＶｄｑを、キャリア信号の周期の隣り合う２周期毎で所定下限電圧Ｖｌｏｗ以上の大きさを有し、かつ、基本電圧ベクトルの位相を含む所定位相範囲外の位相を有するようにして、２つのベクトル成分Ｖ’ｄｑに分解する制御装置２４を備え、制御装置２４は、指令電圧ベクトルＶｄｑを２つのベクトル成分Ｖ’ｄｑに分解することに起因して発生する高調波成分を数式によって定量的に把握する。【選択図】図１
2010119227.tif 000002
【特許請求の範囲】
【請求項１】
パルス幅変調信号により３相交流の電動機への通電を順次転流させるインバータと、前記パルス幅変調信号を搬送波信号により生成するパルス幅変調信号生成手段と、
前記インバータの直流側電流を検出する直流側電流センサと、前記直流側電流センサにより検出された前記直流側電流に基づいて相電流を推定する相電流推定手段と、
前記電動機の指令電圧ベクトルの大きさが所定下限電圧未満であるか否かを判定する判定手段と、
前記判定手段の判定結果において前記指令電圧ベクトルの大きさが前記所定下限電圧未満である場合に、前記指令電圧ベクトルを搬送波周期の隣り合う２周期毎で前記所定下限電圧と等しい大きさを有し、かつ、前記指令電圧ベクトルから進角側および遅角側に同一の所定位相差を有する２つのベクトル成分に分解するベクトル分解手段と、
前記ベクトル成分の位相が基本電圧ベクトルの位相を含む所定位相範囲内の値となるか否かを判定する位相判定手段と、
前記位相判定手段の判定結果において前記ベクトル成分の位相が前記所定位相範囲内の値である場合に、前記ベクトル成分の位相が前記所定位相範囲外の値となるように、かつ、前記ベクトル成分の前記指令電圧ベクトルに対する位相差の余弦値と前記ベクトル成分の大きさとの積が前記指令電圧ベクトルの大きさに等しくなるようにして、前記ベクトル成分の位相および大きさを変更するベクトル成分変更手段と
を備えることを特徴とする電動機の相電流推定装置。
【請求項２】
前記ベクトル成分に係る高調波成分を算出する高調波成分算出手段を備えることを特徴とする請求項１に記載の電動機の相電流推定装置。
【請求項３】
請求項２に記載の電動機の相電流推定装置と、
前記電動機に前記高調波成分を印加した際のインダクタンス変化に基づいて、前記電動機の磁極位置を推定する推定手段と
を備えることを特徴とする電動機の磁極位置推定装置。
【発明の詳細な説明】
【技術分野】
【０００１】
本発明は、電動機の相電流推定装置および電動機の磁極位置推定装置に関する。
【背景技術】
【０００２】
従来、例えば指令電圧ベクトルを作成可能な６０度位相が異なる２つの第１および第２基本電圧ベクトル成分を、１ＰＷＭ周期（搬送波周期の１周期）をなす第１の期間内に出力すると共に、第１および第２基本電圧ベクトル成分に対しそれぞれ１８０度位相が異なる２つの第３および第４基本電圧ベクトル成分を、第１の期間に連続する１ＰＷＭ周期をなす第２の期間内に出力することで、例えば変調度が小さい場合や出力電圧ベクトルの位相が単一の基本電圧ベクトルに近い位相となる状態において所望の長さのパルス幅を確保するインバータ装置が知られている（例えば、特許文献１参照）。
【特許文献１】特開２００５−１２９３４号公報
【発明の開示】
【発明が解決しようとする課題】
【０００３】
ところで、上記従来技術に係るインバータ装置においては、変調方式が２相変調のみで有効であり、変調方式の切り替えに対応することができず、汎用性を向上させることができないという問題が生じる。また、１ＰＷＭ周期内では１相分の相電流のみを検出可能であって、３相分の相電流を推定するためには、複数のＰＷＭ周期が必要となり、迅速な推定ができないという問題が生じる。さらに、所望の長さのパルス幅を確保するために、指令電圧ベクトルを２つの第１および第２の期間の各ＰＷＭ周期内のベクトルに分解したときに発生する１ＰＷＭ周期分の高調波成分（つまり、分解により得られるベクトルと指令電圧ベクトルとの差）を、数式などにより定量的に把握していないことから、高調波成分を制御して相電流の推定精度を向上させることはできないという問題が生じる。
本発明は上記事情に鑑みてなされたもので、相電流の推定精度を適切に向上させることが可能な電動機の相電流推定装置および磁極位置の推定精度を適切に向上させることが可能な電動機の磁極位置推定装置を提供することを目的とする。
【課題を解決するための手段】
【０００４】
上記課題を解決して係る目的を達成するために、本発明の第１態様に係る電動機の相電流推定装置は、パルス幅変調信号により３相交流の電動機（例えば、実施の形態でのモータ１１）への通電を順次転流させるインバータ（例えば、実施の形態でのインバータ１３）と、前記パルス幅変調信号を搬送波信号により生成するパルス幅変調信号生成手段（例えば、実施の形態でのＰＷＭ信号生成部２５）と、前記インバータの直流側電流を検出する直流側電流センサ（例えば、実施の形態での直流側電流センサ３１）と、前記直流側電流センサにより検出された前記直流側電流に基づいて相電流を推定する相電流推定手段（例えば、実施の形態での相電流推定部２３）と、前記電動機の指令電圧ベクトルの大きさが所定下限電圧未満であるか否かを判定する判定手段（例えば、実施の形態での制御装置２４、ステップＳ０１）と、前記判定手段の判定結果において前記指令電圧ベクトルの大きさが前記所定下限電圧未満である場合に、前記指令電圧ベクトルを搬送波周期の隣り合う２周期毎で前記所定下限電圧と等しい大きさを有し、かつ、前記指令電圧ベクトルから進角側および遅角側に同一の所定位相差を有する２つのベクトル成分に分解するベクトル分解手段（例えば、実施の形態での制御装置２４、ステップＳ０２）と、前記ベクトル成分の位相が基本電圧ベクトルの位相を含む所定位相範囲内の値となるか否かを判定する位相判定手段（例えば、実施の形態での制御装置２４、ステップＳ０５、ステップＳ１０）と、前記位相判定手段の判定結果において前記ベクトル成分の位相が前記所定位相範囲内の値である場合に、前記ベクトル成分の位相が前記所定位相範囲外の値となるように、かつ、前記ベクトル成分の位相の余弦値と前記ベクトル成分の大きさとの積が前記指令電圧ベクトルの大きさに等しくなるようにして、前記ベクトル成分の位相および大きさを変更するベクトル成分変更手段（例えば、実施の形態での制御装置２４、ステップＳ０６、ステップＳ１１、ステップＳ０８）とを備える。
【０００５】
さらに、本発明の第２態様に係る電動機の相電流推定装置は、前記ベクトル成分に係る高調波成分を算出する高調波成分算出手段（例えば、実施の形態での制御装置２４）を備える。
【０００６】
さらに、本発明の第３態様に係る磁極位置推定装置は、本発明の第２態様に係る電動機の相電流推定装置と、前記電動機に前記高調波成分を印加した際のインダクタンス変化に基づいて、前記電動機の磁極位置を推定する推定手段（例えば、実施の形態での磁極位置推定部）とを備える。
【発明の効果】
【０００７】
本発明の第１態様に係る電動機の相電流推定装置によれば、指令電圧ベクトルを、搬送波周期の隣り合う２周期毎で所定下限電圧と等しい大きさを有し、かつ、指令電圧ベクトルから進角側および遅角側に同一の所定位相差を有する２つのベクトル成分に分解する。
これにより、例えば指令電圧ベクトルの大きさが所定下限電圧未満となることでインバータの直流側電流を適切に検出するための所望の長さのパルス幅（つまりパルス幅変調におけるパルス幅）を確保することが困難となる場合などであっても、インバータの直流側電流を検出する直流側電流センサによって、搬送波周期の１周期の期間内において２相分の相電流を適切に取得することができる。
なお、指令電圧ベクトルの大きさが所定下限電圧未満となる状態とは、例えば電動機の回転速度が小さい場合、あるいは、電動機の負荷トルクが小さい場合、あるいは、インバータに印加される直流電圧が大きい場合（つまり、インバータの変調率が所定値未満に小さい場合）などである。
【０００８】
さらに、指令電圧ベクトルの分解により得られるベクトル成分の位相が所定位相範囲外の値となるように、かつ、ベクトル成分の位相の余弦値とベクトル成分の大きさとの積が指令電圧ベクトルの大きさに等しくなるようにして、２つのベクトル成分の位相および大きさを変更する。
これにより、指令電圧ベクトルの分解により得られる２つのベクトル成分の何れか一方の位相が基本電圧ベクトルの位相を含む所定位相範囲内の値となることでインバータの直流側電流を適切に検出するための所望の長さのパルス幅を確保することが困難となる場合などであっても、２つのベクトル成分の位相および大きさを変更することでインバータの直流側電流を検出する直流側電流センサによって、搬送波周期の１周期の期間内において２相分の相電流を適切に取得することができる。
これらにより、２相変調または３相変調などの変調方式の切り替えや搬送波周波数の切り替えにかかわらずに、直流側電流センサによって相電流を適切に取得することができる。
【０００９】
さらに、本発明の第２態様に係る電動機の相電流推定装置によれば、指令電圧ベクトルの分解により得られるベクトル成分に係る高調波成分を数式などにより定量的に容易に把握することができる。しかも、２つのベクトル成分に対応する２つの高調波成分は、互いに大きさが同一で符号が異符号となることから、２つの高調波成分の和はゼロとなり、指令電圧ベクトルの分解により発生する高調波成分を容易に制御することができる。
【００１０】
さらに、本発明の第３態様に係る電動機の磁極位置推定装置によれば、指令電圧ベクトルの分解により発生する高調波成分を容易に制御することができることから、相電流の推定に加えて、インダクタンス変化に基づく磁極位置の推定をおこなうことができる。
【発明を実施するための最良の形態】
【００１１】
以下、本発明の電動機の相電流推定装置および電動機の磁極位置推定装置の実施形態について添付図面を参照しながら説明する。
この実施形態による電動機の相電流推定装置１０（以下、単に、相電流推定装置１０と呼ぶ）は、例えば３相交流のブラシレスＤＣモータ１１（以下、単に、モータ１１と呼ぶ）に通電される各相電流を推定するものであって、このモータ１１は、界磁に利用する永久磁石を有する回転子（図示略）と、この回転子を回転させる回転磁界を発生する固定子（図示略）とを備えて構成されている。
そして、相電流推定装置１０は、例えば図１に示すように、バッテリ１２を直流電源とするインバータ１３と、モータ制御装置１４とを備えて構成されている。
【００１２】
この３相（例えば、Ｕ相、Ｖ相、Ｗ相の３相）交流のモータ１１の駆動はモータ制御装置１４から出力される制御指令を受けてインバータ１３によりおこなわれる。
インバータ１３は、スイッチング素子（例えば、ＭＯＳＦＥＴ：Metal Oxide Semi-conductor Field Effect Transistor）を複数用いてブリッジ接続してなるブリッジ回路１３ａと平滑コンデンサＣとを具備し、このブリッジ回路１３ａがパルス幅変調（ＰＷＭ）された信号によって駆動される。
【００１３】
このブリッジ回路１３ａでは、例えば各相毎に対をなすハイ側およびロー側Ｕ相トランジスタＵＨ，ＵＬと、ハイ側およびロー側Ｖ相トランジスタＶＨ，ＶＬと、ハイ側およびロー側Ｗ相トランジスタＷＨ，ＷＬとがブリッジ接続されている。そして、各トランジスタＵＨ，ＶＨ，ＷＨはドレインがバッテリ１２の正極側端子に接続されてハイサイドアームを構成し、各トランジスタＵＬ，ＶＬ，ＷＬはソースがバッテリ１２の接地された負極側端子に接続されてローサイドアームを構成している。そして、各相毎に、ハイサイドアームの各トランジスタＵＨ，ＶＨ，ＷＨのソースはローサイドアームの各トランジスタＵＬ，ＶＬ，ＷＬのドレインに接続され、各トランジスタＵＨ，ＵＬ，ＶＨ，ＶＬ，ＷＨ，ＷＬのドレイン−ソース間には、ソースからドレインに向けて順方向となるようにして、各ダイオードＤＵＨ，ＤＵＬ，ＤＶＨ，ＤＶＬ，ＤＷＨ，ＤＷＬが接続されている。
【００１４】
インバータ１３は、例えばモータ１１の駆動時等においてモータ制御装置１４から出力されて各トランジスタＵＨ，ＶＨ，ＷＨ，ＵＬ，ＶＬ，ＷＬのゲートに入力されるスイッチング指令であるゲート信号（つまり、ＰＷＭ信号）に基づき、各相毎に対をなす各トランジスタのオン（導通）／オフ（遮断）状態を切り替えることによって、バッテリ１２から供給される直流電力を３相交流電力に変換し、３相のステータ巻線への通電を順次転流させることで、各相のステータ巻線に交流のＵ相電流ＩｕおよびＶ相電流ＩｖおよびＷ相電流Ｉｗを通電する。
【００１５】
モータ制御装置１４は、回転直交座標をなすｄｑ座標上で電流のフィードバック制御（ベクトル制御）をおこなうものであり、目標ｄ軸電流Ｉｄｃ及び目標ｑ軸電流Ｉｑｃを演算し、目標ｄ軸電流Ｉｄｃ及び目標ｑ軸電流Ｉｑｃに基づいて各相電圧指令Ｖｕ，Ｖｖ，Ｖｗを算出し、各相電圧指令Ｖｕ，Ｖｖ，Ｖｗに応じてインバータ１３に対するゲート信号であるＰＷＭ信号を出力すると共に、実際にインバータ１３からモータ１１に供給される各相電流Ｉｕ，Ｉｖ，Ｉｗをｄｑ座標上に変換して得たｄ軸電流Ｉｄｓ及びｑ軸電流Ｉｑｓと、目標ｄ軸電流Ｉｄｃ及び目標ｑ軸電流Ｉｑｃとの各偏差がゼロとなるように制御をおこなう。
【００１６】
モータ制御装置１４は、例えば電流センサＩ／Ｆ（インターフェース）２１と、過電流保護装置２２と、相電流推定部２３と、制御装置２４と、ＰＷＭ信号生成部２５とを備えて構成されている。
電流センサＩ／Ｆ（インターフェース）２１は、インバータ１３のブリッジ回路１３ａとバッテリ１２の負極側端子との間において、インバータ１３のブリッジ回路１３ａの直流側電流Ｉｄｃを検出する直流側電流センサ３１に接続され、直流側電流センサ３１から出力される検出信号を過電流保護装置２２および相電流推定部２３に出力する。
なお、直流側電流センサ３１はインバータ１３のブリッジ回路１３ａとバッテリ１２の正極側端子との間に配置されてもよい。
【００１７】
過電流保護装置２２は、直流側電流センサ３１により検出される直流側電流Ｉｄｃに応じて所定の過電流保護の動作をおこなう。
相電流推定部２３は、ＰＷＭ信号生成部２５から出力されるゲート信号（つまり、ＰＷＭ信号）に応じた検出タイミングで直流側電流センサ３１により検出される直流側電流Ｉｄｃに基づき、実際にインバータ１３からモータ１１に供給される各相電流Ｉｕ，Ｉｖ，Ｉｗを推定する。なお、この相電流推定部２３の動作の詳細は後述する。
【００１８】
制御装置２４は、角度センサ３２から出力されるモータ１１の回転角に応じて、相電流推定部２３から出力される各相電流Ｉｕ，Ｉｖ，Ｉｗをｄｑ座標上に変換して得たｄ軸電流Ｉｄｓ及びｑ軸電流Ｉｑｓと、目標ｄ軸電流Ｉｄｃ及び目標ｑ軸電流Ｉｑｃとの各偏差がゼロとなるように電流のフィードバック制御（ベクトル制御）をおこない、各相電圧指令Ｖｕ，Ｖｖ，Ｖｗを出力する。
なお、角度センサ３２は省略されて、代わりに、モータ１１の回転子の磁極位置を推定する装置を備えてもよい。
また、制御装置２４は、後述するように、指令電圧ベクトルＶｄｑの位相が基本電圧ベクトルＶ１〜Ｖ６の位相を含む所定位相範囲内の値となって、各相電圧指令Ｖｕ，Ｖｖ，Ｖｗ同士間の電圧差が所定値未満となることに起因して、直流側電流センサ３１による各相電流Ｉｕ，Ｉｖ，Ｉｗの所望精度での推定が困難となる場合には、指令電圧ベクトルＶｄｑをキャリア信号の周期の隣り合う２周期毎のベクトル成分に分解する。
【００１９】
ＰＷＭ信号生成部２５は、正弦波状の電流を３相のステータ巻線に通電するために、各相電圧指令Ｖｕ，Ｖｖ，Ｖｗと、三角波などのキャリア信号とを比較して、インバータ１３の各トランジスタＵＨ，ＶＨ，ＷＨ，ＵＬ，ＶＬ，ＷＬをオン／オフ駆動させるゲート信号（つまり、ＰＷＭ信号）を生成する。そして、インバータ１３において３相の各相毎に対をなす各トランジスタのオン（導通）／オフ（遮断）状態を切り替えることによって、バッテリ１２から供給される直流電力を３相交流電力に変換し、３相のモータ１１の各ステータ巻線への通電を順次転流させることで、各ステータ巻線に交流のＵ相電流ＩｕおよびＶ相電流ＩｖおよびＷ相電流Ｉｗを通電する。
【００２０】
ＰＷＭ信号生成部２５からインバータ１３に入力されるゲート信号は、各相毎に対をなす各トランジスタＵＨ，ＵＬおよびＶＨ，ＶＬおよびＷＨ，ＷＬのオン／オフ状態の組み合わせに応じて、例えば下記表１および図２（Ａ）〜（Ｈ）に示すように、８通りの各スイッチング状態Ｓ１〜Ｓ８（つまり、６０度ずつ位相が異なる基本電圧ベクトルＶ０〜Ｖ７の状態）に応じたＰＷＭ（パルス幅変調）信号となる。なお、下記表１においては、ハイ側（Ｈｉｇｈ）およびロー側（Ｌｏｗ）の各トランジスタのうちオン状態となるトランジスタを示しており、図２（Ａ）〜（Ｈ）においてはオン状態となるトランジスタが網掛け表示されている。
そして、インバータ１３のブリッジ回路１３ａの直流側には各スイッチング状態Ｓ１〜Ｓ８に応じて断続的に各相電流Ｉｕ，Ｉｖ，Ｉｗが発生し、直流側電流センサ３１により検出される直流側電流Ｉｄｃは、各相電流Ｉｕ，Ｉｖ，Ｉｗの何れかひとつ、あるいは、各相電流Ｉｕ，Ｉｖ，Ｉｗの何れかひとつの符号が反転したもの、あるいは、ゼロとなる。
【００２１】
【表１】
2010119227.tif 000003
【００２２】
相電流推定部２３は、例えば、三角波などのキャリア信号の１周期の期間において、上述した各スイッチング状態Ｓ２〜Ｓ７（つまり、６０度ずつ位相が異なる基本電圧ベクトルＶ１〜Ｖ６の状態）のうちの所定の２組の状態において直流側電流センサ３１により検出される直流側電流Ｉｄｃから３相の相電流のうち２相の相電流を取得する。そして、これらの２相の相電流に基づき、３相の相電流のうち他の１相の相電流を推定する。そして、直流側電流センサ３１により検出される直流側電流Ｉｄｃから推定して得た３相の相電流の各推定値を制御装置２４に出力する。
【００２３】
例えば図３に示すように、三角波のキャリア信号を用いた３相変調時においては、三角波のキャリア（搬送波）信号の谷側の頂点（キャリア頂点）に対して対称な電圧パターンでのキャリア信号の１周期Ｔｓの期間において、２相分の各相電流の検出値を２回取得することができる。
つまり、相電流推定部２３は、キャリア頂点に対して対称な２回の基本電圧ベクトルＶ１の状態において、キャリア頂点に対して対称な時刻ｔｕ１，ｔｕ２（つまり、谷側のキャリア頂点の時刻ｔｐに対して、同一の時間間隔Ｔ１を有する時刻）で直流側電流センサ３１により検出される直流側電流Ｉｄｃから、第１Ｕ相電流Ｉｕ１および第２Ｕ相電流Ｉｕ２を取得し、さらに、キャリア頂点に対して対称な２回の基本電圧ベクトルＶ３の状態において、キャリア頂点に対して対称な時刻ｔｗ１，ｔｗ２（つまり、谷側のキャリア頂点の時刻ｔｐに対して、同一の時間間隔Ｔ２を有する時刻）で直流側電流センサ３１により検出される直流側電流Ｉｄｃから、第１Ｗ相電流Ｉｗ１および第２Ｗ相電流Ｉｗ２を取得する。
【００２４】
そして、相電流推定部２３は、各相毎に、各相電流Ｉｕ１，Ｉｕ２およびＩｗ１，Ｉｗ２に基づき平均値を算出し、各平均値を谷側のキャリア頂点の時刻ｔｐでの電流値とする。
そして、相電流推定部２３は、同一タイミングでの各相電流の電流値の総和はゼロであることを用いて、２相の相電流（例えば、Ｕ相電流およびＷ相電流）の電流値（つまり、谷側のキャリア頂点の時刻ｔｐでの電流値）から、他の１相の相電流（例えば、Ｖ相電流）の電流値を算出する。
なお、相電流推定部２３は、各相電流Ｉｕ１，Ｉｕ２およびＩｗ１，Ｉｗ２に基づき平均値を算出して、２相の相電流から他の１相の相電流を推定するとしたが、これに限定されず、他の推定方法によって各相電流を推定してもよい。
【００２５】
制御装置２４は、指令電圧ベクトルＶｄｑの大きさが所定下限電圧Ｖｌｏｗ以上であるか否かを判定する。そして、この判定結果において指令電圧ベクトルＶｄｑの大きさが所定下限電圧Ｖｌｏｗ以上である場合には、さらに、指令電圧ベクトルＶｄｑの位相が基本電圧ベクトルＶ１〜Ｖ６の位相を含む所定位相範囲（例えば、図４に示すように、所定の大きさの電圧ベクトルが各基本電圧ベクトルＶ１〜Ｖ６から進角側または遅角側に所定位相β以内となる範囲）内の値となるか否かを判定する。
そして、この判定結果において指令電圧ベクトルＶｄｑの位相が基本電圧ベクトルＶ１〜Ｖ６の位相を含む所定位相範囲内の値となる場合には、指令電圧ベクトルＶｄｑを、指令電圧ベクトルＶｄｑから進角側および遅角側に同一の所定位相差γを有する２つのベクトル成分Ｖｄｑ１，Ｖｄｑ２に分解する。そして、これらのベクトル成分Ｖｄｑ１，Ｖｄｑ２に応じた各相電圧指令Ｖｕ，Ｖｖ，ＶｗをＰＷＭ信号生成部２５に出力すると共に、所定位相差γに基づき各ベクトル成分Ｖｄｑ１，Ｖｄｑ２に係る高調波成分を算出する。
【００２６】
制御装置２４は、例えば図５に示すように、指令電圧ベクトルＶｄｑの位相が基本電圧ベクトルＶ１の位相と一致することで、指令電圧ベクトルＶｄｑの位相が基本電圧ベクトルＶ１〜Ｖ６の位相を含む所定位相範囲Ａβ内の値であると判定すると、指令電圧ベクトルＶｄｑを、指令電圧ベクトルＶｄｑに対して少なくとも所定位相βよりも大きい所定位相差γ（＞β）を有する２つのベクトル成分Ｖｄｑ１，Ｖｄｑ２に分解する。これらの２つのベクトル成分Ｖｄｑ１，Ｖｄｑ２は、キャリア信号の周期の隣り合う２周期毎のベクトルであって、２つのベクトル成分Ｖｄｑ１，Ｖｄｑ２の大きさは、例えば下記数式（１）に示すように記述される。
なお、所定位相範囲Ａβは、例えば、後述する所定下限電圧Ｖｌｏｗが各基本電圧ベクトルＶ１〜Ｖ６から進角側または遅角側に所定位相β以内となる範囲であって、指令電圧ベクトルＶｄｑの位相が所定位相範囲Ａβ内の値となる状態は、インバータ１３の直流側電流を直流側電流センサ３１によって適切に検出するための所望の長さのパルス幅（つまりパルス幅変調におけるパルス幅）を確保することが困難となる状態である。
【００２７】
【数１】
2010119227.tif 000004
【００２８】
また、ｄｑ座標上でのｄ軸に対する指令電圧ベクトルＶｄｑの位相差αにより、指令電圧ベクトルＶｄｑのｄｑ座標上でのｄ軸成分Ｖｄおよびｑ軸成分Ｖｑは、例えば下記数式（２）に示すように記述される。
【００２９】
【数２】
2010119227.tif 000005
【００３０】
そして、指令電圧ベクトルＶｄｑを２つのベクトル成分Ｖｄｑ１，Ｖｄｑ２に分解することに起因して発生する高調波成分Ｖｄｑｈは、大きさが同一であって符号が異なり、この高調波成分Ｖｄｑｈのｄｑ座標上でのｄ軸成分（ｄ軸高調波成分Ｖｄｈ）およびｑ軸成分（ｑ軸高調波成分Ｖｑｈ）と、指令電圧ベクトルＶｄｑのｄ軸成分Ｖｄおよびｑ軸成分Ｖｑとは、例えば下記数式（３），（４）に示すように記述される。
【００３１】
【数３】
2010119227.tif 000006
【００３２】
【数４】
2010119227.tif 000007
【００３３】
つまり、ｄ軸高調波成分Ｖｄｈおよびｑ軸高調波成分Ｖｑｈは、例えば下記数式（５），（６）に示すように記述される。
【００３４】
【数５】
2010119227.tif 000008
【００３５】
【数６】
2010119227.tif 000009
【００３６】
また、制御装置２４は、指令電圧ベクトルＶｄｑの大きさが所定下限電圧Ｖｌｏｗ未満である場合には、指令電圧ベクトルＶｄｑを、キャリア信号の周期の隣り合う２周期毎で所定下限電圧Ｖｌｏｗと等しい大きさを有し、かつ、指令電圧ベクトルＶｄｑから進角側および遅角側に同一の所定位相差γを有する２つのベクトル成分Ｖ’ｄｑに分解する。
なお、指令電圧ベクトルＶｄｑの大きさが所定下限電圧Ｖｌｏｗ未満となる状態とは、例えばモータ１１の回転速度が小さい場合、あるいは、モータ１１の負荷トルクが小さい場合、あるいは、インバータ１３に印加される直流電圧が大きい場合（つまり、インバータ１３の変調率が所定値未満に小さい場合）などであり、インバータ１３の直流側電流を直流側電流センサ３１によって適切に検出するための所望の長さのパルス幅（つまりパルス幅変調におけるパルス幅）を確保することが困難となる場合である。
【００３７】
さらに、制御装置２４は、２つのベクトル成分Ｖ’ｄｑの何れかの位相が基本電圧ベクトルＶ１〜Ｖ６の位相を含む所定位相範囲Ａβ（例えば、所定下限電圧Ｖｌｏｗが各基本電圧ベクトルＶ１〜Ｖ６から進角側または遅角側に所定位相β以内となる範囲）内の値となるか否かを判定する。
この判定結果において、例えば図６に示すように、２つのベクトル成分Ｖ’ｄｑの各位相が基本電圧ベクトルＶ１〜Ｖ６の位相を含む所定位相範囲Ａβ外の値となる場合には、制御装置２４は、２つのベクトル成分Ｖ’ｄｑに応じた各相電圧指令Ｖｕ，Ｖｖ，ＶｗをＰＷＭ信号生成部２５に出力すると共に、所定位相差γに基づき各ベクトル成分Ｖ’ｄｑに係る高調波成分を算出する。
【００３８】
一方、この判定結果において、例えば図７に示すように、２つのベクトル成分Ｖ’ｄｑの何れかの位相が基本電圧ベクトルＶ１〜Ｖ６の位相を含む所定位相範囲Ａβ内の値となる場合には、制御装置２４は、ベクトル成分Ｖ’ｄｑの位相が所定位相範囲Ａβ外の値となるように、かつ、ベクトル成分Ｖ’ｄｑの指令電圧ベクトルＶｄｑに対する位相差の余弦値とベクトル成分Ｖ’ｄｑの大きさとの積が指令電圧ベクトルＶｄｑの大きさに等しくなるようにして、ベクトル成分Ｖ’ｄｑの位相および大きさを変更する。そして、変更後の２つのベクトル成分Ｖ’ｄｑに応じた各相電圧指令Ｖｕ，Ｖｖ，ＶｗをＰＷＭ信号生成部２５に出力すると共に、変更後のベクトル成分Ｖ’ｄｑの位相に基づき各ベクトル成分Ｖ’ｄｑに係る高調波成分を算出する。
【００３９】
例えば図６、図７に示すように、制御装置２４は、指令電圧ベクトルＶｄｑの大きさが所定下限電圧Ｖｌｏｗ未満である場合には、指令電圧ベクトルＶｄｑを、キャリア信号の周期の隣り合う２周期毎で所定下限電圧Ｖｌｏｗと等しい大きさを有し、かつ、指令電圧ベクトルＶｄｑから進角側および遅角側に同一の所定位相差γを有する２つのベクトル成分Ｖ’ｄｑに分解する。このとき制御装置２４は、例えば下記数式（７）に示すように、所定位相差γの余弦値とベクトル成分Ｖ’ｄｑとの積が指令電圧ベクトルＶｄｑの大きさに等しくなるように設定する。
【００４０】
【数７】
2010119227.tif 000010
【００４１】
つまり、例えば図６、図７に示す電圧ベクトル図において、指令電圧ベクトルＶｄｑによる座標位置Ｐ（Ｖｄｑ）を含み指令電圧ベクトルＶｄｑに直交する直線Ｌ（Ｖｄｑ）と、所定下限電圧Ｖｌｏｗの大きさを半径とする電圧円（下限電圧円Ｃｌｏｗ）との交点Ｐａが、各ベクトル成分Ｖ’ｄｑによる座標位置となる。
そして、例えば図６に示すように、２つのベクトル成分Ｖ’ｄｑの各位相が基本電圧ベクトルＶ１〜Ｖ６の位相を含む所定位相範囲Ａβ外の値となる場合には、制御装置２４は、各ベクトル成分Ｖ’ｄｑに係る高調波成分を所定位相差γと上記数式（１）〜（６）とに基づき算出する。
【００４２】
一方、例えば図７に示すように、２つのベクトル成分Ｖ’ｄｑの何れかの位相が基本電圧ベクトルＶ１〜Ｖ６の位相を含む所定位相範囲Ａβ内の値となる場合には、例えば図８に示すように、基本電圧ベクトルの所定位相範囲（基本電圧ベクトル領域）Ａβの境界点、つまり基本電圧ベクトルから進角側または遅角側に所定位相βの位置ＰＥの位相を、ベクトル成分Ｖ’ｄｑの新たな位相とする。例えば指令電圧ベクトルＶｄｑから進角側のベクトル成分Ｖ’ｄｑに対しては、このベクトル成分Ｖ’ｄｑを含む基本電圧ベクトル領域Ａβの進角側の境界点ＰＥの位相が新たな位相として設定される。同様にして、例えば指令電圧ベクトルＶｄｑから遅角側のベクトル成分Ｖ’ｄｑに対しては、このベクトル成分Ｖ’ｄｑを含む基本電圧ベクトル領域Ａβの遅角側の境界の位相が新たな位相として設定される。これらに伴い、位相変更後のベクトル成分Ｖ’ｄｑは指令電圧ベクトルＶｄｑに対して新たな位相差（γ’）を有することになる。
そして、位相変更後のベクトル成分Ｖ’ｄｑの大きさは、例えば下記数式（８）に示すように、位相差（γ’）の余弦値と、ベクトル成分Ｖ’ｄｑの大きさとの積が、指令電圧ベクトルＶｄｑの大きさに等しくなるように設定され、所定下限電圧Ｖｌｏｗよりも大きくなる。
【００４３】
【数８】
2010119227.tif 000011
【００４４】
つまり、位相および大きさが変更された後の新たなベクトル成分Ｖ’ｄｑの座標位置は、原点Ｏおよび基本電圧ベクトル領域Ａβの境界点ＰＥを含む直線Ｌ（ＰＥ）と、指令電圧ベクトルＶｄｑによる座標位置Ｐ（Ｖｄｑ）を含み指令電圧ベクトルＶｄｑに直交する直線Ｌ（Ｖｄｐ）との交点Ｐｂとなる。
【００４５】
なお、２つのベクトル成分Ｖ’ｄｑの何れか一方のベクトル成分Ｖ’ｄｑの位相が所定位相範囲Ａβ内の値となることに起因して、一方のベクトル成分Ｖ’ｄｑの位相および大きさが変更されると、これに伴って、他方のベクトル成分Ｖ’ｄｑの位相および大きさが変更されることになる。このとき、他方のベクトル成分Ｖ’ｄｑの新たな位相が所定位相範囲Ａβ内の値となる場合には、さらに、他方のベクトル成分Ｖ’ｄｑの位相および大きさが変更され、これに伴い、一方のベクトル成分Ｖ’ｄｑの位相および大きさが、さらに変更されることになる。
【００４６】
例えば図８に示す電圧ベクトル図のように、位相θｖの指令電圧ベクトルＶｄｑから所定位相差γだけ進角側のベクトル成分Ｖ’ｄｑが、基本電圧ベクトルＶ３に対する所定位相範囲Ａβ内の値となる場合には、先ず、基本電圧ベクトルＶ３から進角側に所定位相βの境界点ＰＥの位相（つまり、（６０×（ｍ＋１）＋β））が、進角側のベクトル成分Ｖ’ｄｑの新たな位相として設定される。
そして、原点Ｏおよび境界点ＰＥを含む直線Ｌ（ＰＥ）と、座標位置Ｐ（Ｖｄｑ）を含み指令電圧ベクトルＶｄｑに直交する直線Ｌ（Ｖｄｐ）との交点Ｐｂにより、ベクトル成分Ｖ’ｄｑの大きさが変更される。
【００４７】
そして、位相および大きさが変更された後の２つのベクトル成分Ｖ’ｄｑの各位相が基本電圧ベクトルＶ１〜Ｖ６の位相を含む所定位相範囲Ａβ外の値となる場合には、制御装置２４は、各ベクトル成分Ｖ’ｄｑに係る高調波成分を位相差（γ’）と上記数式（１）〜（６）とに基づき算出する。
【００４８】
本実施の形態による電動機の相電流推定装置１０は上記構成を備えており、次に、この相電流推定装置１０の動作、特に、指令電圧ベクトルＶｄｑの大きさが所定下限電圧Ｖｌｏｗ未満である場合に指令電圧ベクトルＶｄｑを分解する処理について説明する。
【００４９】
先ず、例えば図９に示すステップＳ０１においては、指令電圧ベクトルＶｄｑの大きさが所定下限電圧Ｖｌｏｗ未満であるか否かを判定する。
この判定結果が「ＮＯ」の場合には、エンドに進む。
一方、この判定結果が「ＹＥＳ」の場合には、ステップＳ０２に進む。
そして、ステップＳ０２においては、指令電圧ベクトルＶｄｑを、キャリア信号の周期の隣り合う２周期毎で所定下限電圧Ｖｌｏｗと等しい大きさを有し、かつ、指令電圧ベクトルＶｄｑから進角側および遅角側に同一の所定位相差γを有する２つのベクトル成分Ｖ’ｄｑに分解する。これにより、ベクトル成分Ｖ’ｄｑは、上記数式（７）に示すように記述される。
【００５０】
そして、ステップＳ０３においては、指令電圧ベクトルＶｄｑから進角側のベクトル成分Ｖ’ｄｑと、基本電圧ベクトル領域Ａβの進角側の境界点ＰＥとの位相差Δγｐを算出する。
このとき、例えば図１０に示すステップＳ２１〜Ｓ２３のように、ベクトル成分Ｖ’ｄｑの位相（θｖ＋γ）が、任意の自然数ｍによる境界点ＰＥの位相（６０×（ｍ＋１）＋β）よりも小さいか否かに応じて、位相差Δγｐの算出を切り換える。
つまり、例えば図１０に示すステップＳ２１においては、ベクトル成分Ｖ’ｄｑの位相（θｖ＋γ）が、任意の自然数ｍによる境界点ＰＥの位相（６０×（ｍ＋１）＋β）よりも小さいか否かを判定する。
この判定結果が「ＹＥＳ」の場合には、ステップＳ２２に進み、このステップＳ２２においては、位相差Δγｐ＝｛６０×（ｍ＋１）＋β｝−（θｖ＋γ）、とする。
一方、この判定結果が「ＮＯ」の場合には、ステップＳ２３に進み、このステップＳ２３においては、位相差Δγｐ＝｛６０×（ｍ＋２）＋β｝−（θｖ＋γ）、とする。
【００５１】
そして、ステップＳ０４においては、指令電圧ベクトルＶｄｑから遅角側のベクトル成分Ｖ’ｄｑと、基本電圧ベクトル領域Ａβの遅角側の境界点ＰＥとの位相差Δγｎを算出する。
このとき、例えば図１１に示すステップＳ３１〜Ｓ３３のように、ベクトル成分Ｖ’ｄｑの位相（θｖ−γ）が、任意の自然数ｍによる境界点ＰＥの位相（６０×（ｍ）−β）よりも大きいか否かに応じて、位相差Δγｎの算出を切り換える。
つまり、例えば図１１に示すステップＳ３１においては、ベクトル成分Ｖ’ｄｑの位相（θｖ−γ）が、任意の自然数ｍによる境界点ＰＥの位相（６０×（ｍ）−β）よりも大きいか否かを判定する。
この判定結果が「ＹＥＳ」の場合には、ステップＳ３２に進み、このステップＳ３２においては、位相差Δγｎ＝（θｖ−γ）−｛６０×（ｍ）−β｝、とする。
一方、この判定結果が「ＮＯ」の場合には、ステップＳ３３に進み、このステップＳ３３においては、位相差Δγｎ＝（θｖ−γ）−｛６０×（ｍ−１）−β｝、とする。
【００５２】
そして、ステップＳ０５においては、位相差Δγｐに応じて進角側のベクトル成分Ｖ’ｄｑの位相は基本電圧ベクトル領域Ａβ内の値となるか否かを判定する。
この判定結果が「ＹＥＳ」の場合、つまり位相差Δγｐが０よりも大きくかつ所定位相βの２倍よりも小さい（０＜Δγｐ＜２×β）場合には、ステップＳ０６に進む。
一方、この判定結果が「ＮＯ」の場合には、後述するステップＳ１０に進む。
【００５３】
そして、ステップＳ０６においては、所定位相差γに位相差Δγｐを加算して得た値を位相差（γ’）として、進角側および遅角側の各ベクトル成分Ｖ’ｄｑが指令電圧ベクトルＶｄｑに対して位相差（γ’）を有するようにして、進角側および遅角側の各ベクトル成分Ｖ’ｄｑの位相を変更する。
そして、ステップＳ０７においては、進角側のベクトル成分Ｖ’ｄｑの位相変更に伴い、位相差Δγｐによって遅角側のベクトル成分Ｖ’ｄｑの位相が変更された場合に、遅角側のベクトル成分Ｖ’ｄｑの新たな位相は基本電圧ベクトル領域Ａβ内の値となるか否かを判定する。
この判定結果が「ＹＥＳ」の場合、つまり位相差Δγｎから位相差Δγｐを減算して得た値（Δγｎ−Δγｐ）が０よりも大きくかつ所定位相βの２倍よりも小さい（０＜（Δγｎ−Δγｐ）＜２×β）場合には、後述するステップＳ０８に進む。
一方、この判定結果が「ＮＯ」の場合には、ステップＳ０９に進む。
【００５４】
そして、ステップＳ０９においては、所定位相差γに位相差Δγｎを加算して得た値を位相差（γ’）として、進角側および遅角側の各ベクトル成分Ｖ’ｄｑが指令電圧ベクトルＶｄｑに対して位相差（γ’）を有するようにして、進角側および遅角側の各ベクトル成分Ｖ’ｄｑの位相を変更する。
そして、ステップＳ０８においては、この時点で設定されている位相差（γ’）により、ベクトル成分Ｖ’ｄｑを、上記数式（８）に示すように記述して、エンドに進み、処理を終了する。
【００５５】
また、ステップＳ１０においては、位相差Δγｎに応じて遅角側のベクトル成分Ｖ’ｄｑの位相は基本電圧ベクトル領域Ａβ内の値となるか否かを判定する。
この判定結果が「ＹＥＳ」の場合、つまり位相差Δγｎが０よりも大きくかつ所定位相βの２倍よりも小さい（０＜Δγｎ＜２×β）場合には、ステップＳ１１に進む。
一方、この判定結果が「ＮＯ」の場合には、エンドに進み、処理を終了する。
【００５６】
そして、ステップＳ１１においては、所定位相差γに位相差Δγｎを加算して得た値を位相差（γ’）として、進角側および遅角側の各ベクトル成分Ｖ’ｄｑが指令電圧ベクトルＶｄｑに対して位相差（γ’）を有するようにして、進角側および遅角側の各ベクトル成分Ｖ’ｄｑの位相を変更する。
そして、ステップＳ１２においては、遅角側のベクトル成分Ｖ’ｄｑの位相変更に伴い、位相差Δγｎによって進角側のベクトル成分Ｖ’ｄｑの位相が変更された場合に、進角側のベクトル成分Ｖ’ｄｑの新たな位相は基本電圧ベクトル領域Ａβ内の値となるか否かを判定する。
この判定結果が「ＹＥＳ」の場合、つまり位相差Δγｐから位相差Δγｎを減算して得た値（Δγｐ−Δγｎ）が０よりも大きくかつ所定位相βの２倍よりも小さい（０＜（Δγｐ−Δγｎ）＜２×β）場合には、後述するステップＳ１３に進む。
一方、この判定結果が「ＮＯ」の場合には、ステップＳ０８に進む。
【００５７】
そして、ステップＳ１３においては、所定位相差γに位相差Δγｐを加算して得た値を位相差（γ’）として、進角側および遅角側の各ベクトル成分Ｖ’ｄｑが指令電圧ベクトルＶｄｑに対して位相差（γ’）を有するようにして、進角側および遅角側の各ベクトル成分Ｖ’ｄｑの位相を変更する。
【００５８】
上述したように、本実施形態による電動機の相電流推定装置１０によれば、指令電圧ベクトルＶｄｑの大きさが所定下限電圧Ｖｌｏｗ未満となる場合には、指令電圧ベクトルＶｄｑを、キャリア信号の周期の隣り合う２周期毎で所定下限電圧Ｖｌｏｗと等しい大きさを有し、かつ、指令電圧ベクトルから進角側および遅角側に同一の所定位相差γを有する２つのベクトル成分Ｖ’ｄｑに分解する。これにより、インバータ１３の直流側電流を検出する直流側電流センサ３１によって、キャリア信号の１周期の期間内において２相分の相電流を適切に取得することができ、さらに、同一タイミングでの相電流の３相の総和がゼロであることを用いて、他の１相分の相電流を推定することができ、３相の相電流Ｉｕ，Ｉｖ，Ｉｗを迅速かつ精度よく取得することができる。
【００５９】
しかも、指令電圧ベクトルＶｄｑの分解により得られるベクトル成分Ｖ’ｄｑの位相は、基本電圧ベクトルの位相を含む所定位相範囲外の値となるように、かつ、ベクトル成分Ｖ’ｄｑの位相の余弦値とベクトル成分Ｖ’ｄｑの大きさとの積が指令電圧ベクトルＶｄｑの大きさに等しくなるようにして、２つのベクトル成分Ｖ’ｄｑの位相および大きさを変更する。これにより、指令電圧ベクトルＶｄｑの分解により得られる２つのベクトル成分Ｖ’ｄｑの何れか一方の位相が基本電圧ベクトルの位相を含む所定位相範囲内の値となることでインバータ１３の直流側電流を適切に検出するための所望の長さのパルス幅を確保することが困難となる場合などであっても、２つのベクトル成分の位相および大きさを変更することでキャリア信号の１周期の期間内において２相分の相電流を適切に取得することができる。
しかも、指令電圧ベクトルＶｄｑを２つのベクトル成分Ｖ’ｄｑに分解することに起因して発生する高調波成分を数式によって定量的に把握することにより、高調波成分を容易に制御することができる。
【００６０】
なお、上述した実施の形態においては、ベクトル成分Ｖ’ｄｑの位相が基本電圧ベクトル領域Ａβ内の値となる場合には、例えば図８に示すように、新たなベクトル成分Ｖ’ｄｑの座標位置を、原点Ｏおよび基本電圧ベクトル領域Ａβの境界点ＰＥを含む直線Ｌ（ＰＥ）と、指令電圧ベクトルＶｄｑによる座標位置Ｐ（Ｖｄｑ）を含み指令電圧ベクトルＶｄｑに直交する直線Ｌ（Ｖｄｐ）との交点Ｐｂとしたが、これに限定されず、例えば図１２に示す上述した実施の形態の変形例のように、新たなベクトル成分Ｖ’ｄｑの座標位置を、基本電圧ベクトルに平行であって基本電圧ベクトル領域Ａβの境界点ＰＥを含む直線ＬＥ（つまり、基本電圧ベクトル領域Ａβの境界線）と、直線Ｌ（Ｖｄｐ）との交点Ｐｃとしてもよい。
【００６１】
なお、上述した実施の形態において、制御装置２４は、指令電圧ベクトルＶｄｑの位相が基本電圧ベクトルＶ１〜Ｖ６の位相を含む所定位相範囲内の値となる場合に、指令電圧ベクトルＶｄｑを２つのベクトル成分Ｖｄｑ１，Ｖｄｑ２に分解するとしたが、これに限定されず、常に、指令電圧ベクトルＶｄｑを２つのベクトル成分Ｖｄｑ１，Ｖｄｑ２に分解してもよい。
また、上述した実施の形態において、制御装置２４は、指令電圧ベクトルＶｄｑの大きさが所定下限電圧Ｖｌｏｗ未満である場合に、指令電圧ベクトルＶｄｑを２つのベクトル成分Ｖ’ｄｑに分解するとしたが、これに限定されず、常に、指令電圧ベクトルＶｄｑを２つのベクトル成分Ｖ’ｄｑに分解してもよい。
【００６２】
なお、上述した実施の形態において、相電流推定部２３は、三角波のキャリア信号を用いた３相変調時に対して、キャリア信号の１周期Ｔｓの期間において２相分の各相電流の検出値から各相毎に平均値を算出し、各平均値を谷側のキャリア頂点の時刻Ｔｓ／２での電流値とするとしたが、これに限定されず、例えば２相変調時に対しても、キャリア信号の１周期Ｔｓの期間において２相分の各相電流の検出値から各相毎に平均値を算出し、各平均値を谷側のキャリア頂点の時刻ｔｐでの電流値としてもよい。
つまり、上述した実施の形態によれば、指令電圧ベクトルＶｄｑを指令電圧ベクトルＶｄｑから進角側および遅角側に同一の位相差を有する２つのベクトル成分に分解し、この分解に起因して発生する高調波成分を数式によって定量的に把握することで、２相変調または３相変調などの変調方式の切り替えやキャリア信号の周波数の切り替えにかかわらずに、キャリア信号の１周期の期間内において２相分の相電流を適切に取得することができる。
【００６３】
なお、上述した実施の形態においては、角度センサ３２を省略して、高調波電圧を印加した際のインダクタンス変化に基づきモータ１１の磁極位置を推定する磁極位置推定部（図示略）を備えて電動機の磁極位置推定装置を構成してもよい。
この電動機の磁極位置推定装置によれば、指令電圧ベクトルＶｄｑを２つのベクトル成分に分解することに起因して発生する高調波成分を数式によって定量的に把握することにより、高調波成分を容易に制御することができ、磁極位置の推定に対して所望の推定精度を確保することができる。
【図面の簡単な説明】
【００６４】
【図１】本発明の実施形態に係る電動機の相電流推定装置の構成図である。
【図２】図１に示すインバータの各スイッチング状態Ｓ１〜Ｓ８を示す図である。
【図３】本発明の実施形態に係る搬送波と各トランジスタＵＨ，ＵＬおよびＶＨ，ＶＬおよびＷＨ，ＷＬのオン／オフのパターンと各相電流の検出タイミングの例を示す図である。
【図４】本発明の実施形態に係る各基本電圧ベクトルＶ１〜Ｖ６の例を示す図である。
【図５】本発明の実施形態に係る指令電圧ベクトルＶｄｑと２つのベクトル成分Ｖｄｑ１，Ｖｄｑ２とｄ軸高調波成分Ｖｄｈおよびｑ軸高調波成分Ｖｑｈの例を示す図である。
【図６】本発明の実施形態に係る指令電圧ベクトルＶｄｑと２つのベクトル成分Ｖ’ｄｑの例を示す図である。
【図７】本発明の実施形態に係る指令電圧ベクトルＶｄｑと２つのベクトル成分Ｖ’ｄｑの例を示す図である。
【図８】本発明の実施形態に係る指令電圧ベクトルＶｄｑと進角側のベクトル成分Ｖ’ｄｑの例を示す図である。
【図９】本発明の実施形態に係る電動機の相電流推定装置の動作を示すフローチャートである。
【図１０】本発明の実施形態に係る電動機の相電流推定装置の動作を示すフローチャートである。
【図１１】本発明の実施形態に係る電動機の相電流推定装置の動作を示すフローチャートである。
【図１２】本発明の実施形態の変形例に係る指令電圧ベクトルＶｄｑと進角側のベクトル成分Ｖ’ｄｑの例を示す図である。
【符号の説明】
【００６５】
１０  電動機の相電流推定装置
１１  モータ
１３  インバータ
２３  相電流推定部（相電流推定手段）
２４  制御装置（判定手段、ベクトル分解手段、位相判定手段、ベクトル成分変更手段、高調波成分算出手段）
２５  ＰＷＭ信号生成部（パルス幅変調信号生成手段）
３１  直流側電流センサ
ステップＳ０１  判定手段
ステップＳ０２  ベクトル分解手段
ステップＳ０５、ステップＳ１０  位相判定手段
ステップＳ０６、ステップＳ０８、ステップＳ１１  ベクトル成分変更手段
【図１】
2010119227.tif 000012
【図２】
2010119227.tif 000013
【図３】
2010119227.tif 000014
【図４】
2010119227.tif 000015
【図５】
2010119227.tif 000016
【図６】
2010119227.tif 000017
【図７】
2010119227.tif 000018
【図８】
2010119227.tif 000019
【図９】
2010119227.tif 000020
【図１０】
2010119227.tif 000021
【図１１】
2010119227.tif 000022
【図１２】
2010119227.tif 000023